(57)【要約】【課題】  角底の幅を均一に折り込むことができる袋の角底折り込み装置の提供。【解決手段】  搬送路に沿う一対のガイド部材２，２’及び折り曲げガイド板３，３’を備え、ガイド部材２，２’は袋底部ｅより外方の折り返し線ｄより僅かに折り曲げ線ｂ寄りに位置し、折り曲げガイド板３，３’は、上流寄り部分が、袋底部ｅの内方の折り返し線ｄより僅かに先端寄りに位置し、下流側に向かって内外方向の幅が次第に広く形成されて、外端部がガイド部材２，２’より外方へ突出し、さらに下流側では、一方の折り曲げガイド板３の外端部が折り曲げ線ｂ方向へ屈曲し、排出側端部では、折り曲げガイド板３，３’の内外方向の幅が狭く形成され、外端部が折り曲げ線ｂ方向へ屈曲している。【選択図】          図１
2005324433.tif 000002
【特許請求の範囲】
【請求項１】
扁平な袋用筒体を搬送する搬送路の側部に設置され、前記筒体の表裏両面端部に前記筒体の幅方向に沿う折り曲げ線から開いて形成された袋底部の先端部を、前記筒体の幅方向に沿う折り返し線から外面側へ折り返す袋の角底折り込み装置において、前記袋底部より外方の前記折り返し線より僅かに折り曲げ線寄りに、前記搬送路に沿って配置された一対のガイド部材と、前記搬送路に沿って配置された一対の折り曲げガイド板とを備え、該折り曲げガイド板は、搬送方向上流寄り部分が、前記袋底部より内方において、前記折り返し線より僅かに袋底部先端寄りに位置し、下流側に向かって内外方向の幅が次第に広く形成されると共に、その外端部が前記ガイド部材を越えて外方へ突出し、さらにその下流側において、一方の折り曲げガイド板の外端部が前記折り曲げ線方向へ屈曲し、排出側端部において、いずれの折り曲げガイド板もその内外方向の幅が狭く形成され、且つ、外端部が前記折り曲げ線方向へ屈曲していることを特徴とした袋の角底折り込み装置。
【請求項２】
排出側端部において、前記一方の折り曲げガイド板の、前記折り曲げ線方向へ屈曲した部分の長さを、その上流側よりも短くした請求項１に記載の袋の角底折り込み装置。
【発明の詳細な説明】
【技術分野】
【０００１】
本発明は、袋の角底貼りを行う際に、袋用筒体の端部を開いて形成した袋底部の先端部を、自動的に外面側へ折り返す袋の角底折り込み装置に関する。
【背景技術】
【０００２】
一般的に、袋の角底貼りを行うには、帯状原紙を胴貼りしてから、適宜長さに切断した筒状体の両端部を、筒状体の幅方向に沿う折り曲げ線から外面側に開くと共に、端部両側部を内側へ折り曲げて三角形の折り畳み片を形成し、さらに、筒状体の先端寄りに幅方向に沿う底筋を形成し、筒状体の先端部を底筋に沿って内側へ折り返すと共に、互いに重合して接着している。
従来、上記角底貼り工程の内、底筋付け及び底筋に沿う折り込みを自動的に行う角底折り込み装置が知られている（特許文献１参照）。
【０００３】
上記角底折り込み装置の折り込みを行う形成部分は、底幅より若干狭い間隔に調製可能な２本の受棒と、先端は受棒の下部に、後半より末端部に至る間は受棒の上部に位置し、しかも末端部は互いに内方に緩やかに折り曲げた２本の折込棒とを備え、一方の折込棒を他方よりも長くして成る。
ところが、この装置で袋底を折り込むと、受棒と折込棒との間に隙間があいているので、形成部分を通過する間に折り返し位置が互いに遠ざかるよう広がり、形成部分に対する進入側の底幅よりも排出側の底幅が広くなりやすい。
【０００４】
【特許文献１】特公昭３９−１４７号公報
【発明の開示】
【発明が解決しようとする課題】
【０００５】
本発明が解決しようとする課題は、袋の角底の幅を均一に折り込むことができる袋の角底折り込み装置を提供することにある。
【課題を解決するための手段】
【０００６】
本発明の袋の角底折り込み装置は、扁平な袋用筒体を搬送する搬送路の側部に設置され、前記筒体の表裏両面端部に前記筒体の幅方向に沿う折り曲げ線から開いて形成された袋底部の先端部を、前記筒体の幅方向に沿う折り返し線から外面側へ折り返すものであって、前記袋底部より外方の前記折り返し線より僅かに折り曲げ線寄りに、前記搬送路に沿って配置された一対のガイド部材と、前記搬送路に沿って配置された一対の折り曲げガイド板とを備え、該折り曲げガイド板は、搬送方向上流寄り部分が、前記袋底部より内方において、前記折り返し線より僅かに袋底部先端寄りに位置し、下流側に向かって内外方向の幅が次第に広く形成されると共に、その外端部が前記ガイド部材を越えて外方へ突出し、さらに下流側において、一方の折り曲げガイド板の外端部が前記折り曲げ線方向へ屈曲し、排出側端部において、いずれの折り曲げガイド板もその内外方向の幅が狭く形成され、且つ、外端部が前記折り曲げ線方向へ屈曲している。
排出側端部において、前記一方の折り曲げガイド板の、前記折り曲げ線方向へ屈曲した部分の長さを、その上流側よりも短くしても良い。
【発明の効果】
【０００７】
請求項１に係る発明によれば、折り返し線より僅かに袋底部先端寄りに設けた折り曲げガイド板で、袋底部を押さえ込みながら折り返すので、装置を通過する間に表裏両面の袋底部の折り返し位置が互いに遠ざかる心配が無く、このため、底幅が装置への進入側と排出側とで変化せず、底幅を均一とすることができる。
請求項２に係る発明によれば、一方の折り曲げガイド板が、袋底部の先端部どうしを重合貼着するのに邪魔にならない。
【発明を実施するための最良の形態】
【０００８】
以下、本発明の実施例を図面に基づいて詳細に説明する。
図１に示すように、本発明の袋の角底折り込み装置１は、袋用筒体ａを搬送する搬送路の左右両側において、筋付けロール及び糊付け装置の下流に設置され、上下一対のガイド部材２，２’と、上下一対の折り曲げガイド板３，３’とを有する。
角底折り込み装置１に送り込まれる前工程で、帯状原紙を胴貼りしてから、適宜長さに切断して成る扁平な袋用筒体ａの表裏両面の端部を、それぞれ筒体ａの幅方向に沿う折り曲げ線ｂから直角に開いて袋底部ｅを形成すると共に、端部両側を内側へ折り畳んで三角形の側部折り畳み片ｃを形成してある。
【０００９】
また、筋付けロールによって、表裏両面の袋底部ｅに、折り返し線となる底筋ｄを折り曲げ線ｂと平行に形成してある。底筋ｄは、袋底部ｅの内面側（筒体ａ本体側）に凸となるよう隆起しており、底筋ｄ間の距離が角底の底幅となる。
そして、この筒体ａが、水平に配置されて袋底部ｅを上下方向に起立させた状態で、ベルトコンベア４により挟持されて搬送され、糊付け装置を経て袋底部ｅの先端部外面に接着剤が塗布された後、角底折り込み装置１を通過する。
【００１０】
ガイド部材２，２’は、棒材より成り、搬送路に沿って互いに平行に、且つ、袋底部ｅよりも外方において、上部の底筋ｄより僅かに下方、及び、下部の底筋ｄより僅かに上方にそれぞれ設置される。
また、ガイド部材２，２’の上流側端部は、袋底部ｅを受け入れやすいように外方へ折り曲げられている。
【００１１】
折り曲げガイド板３，３’は、筒体ａの搬送方向に長い板体より成り、図２に示すように、その上流寄り部分は袋底部ｅよりも内方に、且つ、上下の底筋ｄよりも僅かに袋底部ｅの先端寄りに配置される。
即ち、角底折り込み装置１の上流寄り部分においては、ガイド部材２，２’と折り曲げガイド板３，３’とが、その間を通過する袋底部ｅの底筋ｄを挟んで、上下方向及び内外方向に相対するようになっている。
なお、折り曲げガイド板３，３’の上流側端部は、図１に示すように、ガイド部材２，２’との間に袋底部ｅを受け入れやすいように内方へ屈曲している。
【００１２】
図３及び図４に示すように、折り曲げガイド板３，３’の水平方向（搬送路の内外方向）の幅は、上流寄り部分から下流側に向かって次第に広くなり、その外端はガイド部材２，２’を越えて外方へ突出している。
従って、この領域において、ガイド部材２，２’と折り曲げガイド板３，３’との間を通過する袋底部ｅは、その上下端部が折り曲げガイド板３，３’で押し付けられ、予め形成されている底筋ｄに沿って外方へ折り曲げられる。
また、折り曲げガイド板３，３’の最も幅広い部分では、外端が袋底部ｅの先端に達している。
【００１３】
角底折り込み装置１のさらに下流側では、図５に示すように、上方の折り曲げガイド板３の外端部が下方（折り曲げ線ｂ側）へ斜めに屈曲され、下方の折り曲げガイド板３’は水平状態を維持している。
従って、角底折り込み装置１のこの領域を通過する筒体ａは、上方の袋底部ｅの先端部のみが下方へ斜めに折り曲げられる。
その下流側では、図６に示すように、上方の折り曲げガイド板３の外端部が下方へ直角に屈曲されると共に、下方の折り曲げガイド板３’の外端部が上方（折り曲げ線ｂ側）へ斜めに屈曲されており、上方の袋底部ｅの先端部が直角に下方へ折り曲げられ、下方の袋底部ｅの先端部が上方へ斜めに折り曲げられるようになっている。
【００１４】
これより下流側では、図７に示すように、上方の折り曲げガイド板３の水平方向幅が狭くなって、上下方向に長くなり、上方の袋底部ｅの先端部を底筋ｄから、ガイド部材２を挟んで基部と重合するよう折り返すようになっている。
袋底部ｅの先端部外面には接着剤が塗布されているので、上方の袋底部ｅの先端部は基部に接着される。
また、下方の折り曲げガイド板３’の外端部は上方へ直角に屈曲されており、下方の袋底部ｅの先端部が上方へ直角に折り曲げられる。
【００１５】
角底折り込み装置１の排出側端部では、図８に示すように、上方の折り曲げガイド板３の上下方向の長さが短くなり、下方の折り曲げガイド板３’の水平方向の幅が狭くなると共に、上下方向に長くなっている。
この結果、下方の袋底部ｅの先端部が底筋ｄから、ガイド部材２’を挟んで折り返され、下方の袋底部ｅの先端部が上方の袋底部ｅの先端部に重合して接着される。
また、この時、上方の折り曲げガイド板３の長さが短くなっているので、上下の袋底部ｅどうしを重合するのに邪魔にならない。
【００１６】
この角底折り込み装置１で袋底部ｅを折り曲げると、折り返し線となる底筋ｄの僅かに上下方から折り曲げガイド板３，３’で押さえ込まれているので、角底折り込み装置１を通過する間に折り返し位置が上下方に広がる虞が無く、このため、袋底の幅が進入側と排出側とで変化せずに均一となる。
なお、上下の折り曲げガイド板を逆にして、下方の折り曲げガイド板の外端部を上方へ屈曲してから、その下流側で、上方の折り曲げガイド板の外端部を下方へ屈曲することもできる。
また、小型袋のように、筒体の一端のみを角底貼りする場合には、搬送路の一側のみに角底折り込み装置を設置すればよい。
【図面の簡単な説明】
【００１７】
【図１】本発明の実施例を示す袋の角底折り込み装置の斜視図。
【図２】角底折り込み工程の第１段階を示す断面図。
【図３】角底折り込み工程の第２段階を示す断面図。
【図４】角底折り込み工程の第３段階を示す断面図。
【図５】角底折り込み工程の第４段階を示す断面図。
【図６】角底折り込み工程の第５段階を示す断面図。
【図７】角底折り込み工程の第６段階を示す断面図。
【図８】角底折り込み工程の第７段階を示す断面図。
【符号の説明】
【００１８】
１  角底折り込み装置
２，２’  ガイド部材
３，３’  折り曲げガイド板
４  ベルトコンベア
ａ  筒体
ｂ  折り曲げ線
ｃ  側部折り畳み片
ｄ  底筋（折り返し線）
ｅ  袋底部
【図１】
2005324433.tif 000003
【図２】
2005324433.tif 000004
【図３】
2005324433.tif 000005
【図４】
2005324433.tif 000006
【図５】
2005324433.tif 000007
【図６】
2005324433.tif 000008
【図７】
2005324433.tif 000009
【図８】
2005324433.tif 000010